(57)【要約】【課題】ラジオ受信機のＩＦ信号に含まれる希望局の上下の隣接局による混信成分を除去し、混信のない復調出力を得る。【解決手段】フロントエンド３からのＩＦ信号をデジタル変換後に、３つの同期検波回路５，２５，３５で検波して、希望局のＵＳＢとＬＳＢを生成すると共に、希望局の上側の隣接妨害局のＵＳＢと希望局の下側隣接妨害局のＬＳＢを生成し、希望局のＵＳＢから上側の隣接妨害局のＵＳＢを減算して、希望局のＵＳＢに含まれる上側の隣接妨害局の成分を除去し、希望局のＬＳＢから下側の隣接妨害局のＬＳＢを減算して、希望局のＬＳＢに含まれる下側の隣接妨害局の成分を除去することにより、隣接局による混信のない希望局の音声信号を生成することができるラジオ受信機である。【選択図】図４
2010178227.tif 000002
【特許請求の範囲】
【請求項１】
アンテナで受信したラジオ電波を中間周波数に変換して出力する同調回路と、該同調回路からの中間周波数の信号をデジタル変換後に復調処理して復調信号を出力する復調回路とを備えるラジオ受信機において、前記復調回路に、
前記中間周波数に対して希望局を同期検波し、所定周波数の搬送波、上側帯波及び下側帯波を生成する第１の同期検波回路、
前記中間周波数に対して前記希望局の上側の隣接局を同期検波し、前記希望局と同じ周波数の搬送波及び上側の隣接局の上側帯波を生成する第２の同期検波回路、
前記中間周波数に対して前記希望局の下側の隣接局を同期検波し、前記希望局と同じ周波数の搬送波及び下側の隣接局の下側帯波を生成する第３の同期検波回路、
前記第１の同期検波回路から出力される上側帯波に対して、前記第２の同期検波回路から出力される上側帯波を減算する第１の減算器、及び
前記第１の同期検波回路から出力される下側帯波に対して、前記第３の同期検波回路から出力される下側帯波を減算する第２の減算器を設け、
前記第１の減算器により前記希望局の上側帯波を生成し、前記第２の減算器により前記希望局の下側帯波を生成するようにしたことを特徴とするラジオ受信機。
【請求項２】
請求項１に記載のラジオ受信機であって、更に、
前記第２の同期検波回路と前記第３の同期検波回路の前段に電圧制御発振器を設け、該電圧制御発振器の出力を前記第２と第３の同期検波回路にそれぞれ入力して、前記第２と第３の同期検波回路から出力される搬送波の周波数を、前記第１の同期検波回路から出力される周波数に合わせたことを特徴とするラジオ受信機。
【請求項３】
ラジオ受信機において、アンテナで受信したラジオ電波を中間周波数に変換して出力する同調回路からの中間周波数の信号を、復調処理して復調信号を出力する復調回路に設けられた混信除去回路であって、
前記中間周波数に対して希望局を同期検波し、所定周波数の搬送波、上側帯波及び下側帯波を生成する第１の同期検波回路、
前記中間周波数に対して前記希望局の上側の隣接局を同期検波し、前記希望局と同じ周波数の搬送波及び上側帯波を生成する第２の同期検波回路、
前記中間周波数に対して前記希望局の下側の隣接局を同期検波し、前記希望局と同じ周波数の搬送波及び下側の隣接局の下側帯波を生成する第３の同期検波回路、
前記第１の同期検波回路から出力される上側帯波に対して、前記第２の同期検波回路から出力される上側帯波を減算して前記希望局の上側帯波を生成する第１の減算器、
前記第１の同期検波回路から出力される下側帯波に対して、前記第３の同期検波回路から出力される下側帯波を減算して前記希望局の下側帯波を生成する第２の減算器、
前記第１の減算器の出力と前記第２の減算器の出力を加算する加算器、及び
前記加算器の出力に接続され、希望局の音声信号を出力する低域通過フィルタ、を備えることを特徴とする混信除去回路。
【請求項４】
請求項３に記載の混信除去回路であって、
前記第２の同期検波回路と前記第３の同期検波回路の前段に電圧制御発振器が設けられており、該電圧制御発振器の出力を前記第２と第３の同期検波回路にそれぞれ入力することにより、前記第２と第３の同期検波回路から出力される搬送波の周波数を、前記第１の同期検波回路から出力される周波数に合わせたことを特徴とするラジオ受信機。
【請求項５】
請求項４に記載の混信除去回路を用いた混信除去方法であって、
中間周波数をＡＤ変換器によってデジタル信号に変換し、
第１の同期検波回路によって、前記デジタル信号に対して希望局を同期検波し、所定周波数の搬送波、上側帯波及び下側帯波を生成し、
電圧制御発振器の出力を第２と第３の同期検波回路にそれぞれ入力し、
前記第２の同期検波回路によって、前記デジタル信号に対して前記希望局の上側の隣接局を同期検波し、前記希望局と同じ周波数の搬送波及び上側帯波を生成し、
第３の同期検波回路によって、前記デジタル信号に対して前記希望局の下側の隣接局を同期検波し、前記希望局と同じ周波数の搬送波及び下側帯波を生成し、
第１の減算器によって、前記第１の同期検波回路から出力される上側帯波に対して、前記第２の同期検波回路から出力される上側帯波を減算して前記希望局の上側帯波を生成し、
第２の減算器によって、前記第１の同期検波回路から出力される下側帯波に対して、前記第３の同期検波回路から出力される下側帯波を減算して前記希望局の下側帯波を生成し、
加算器によって、前記第１の減算器の出力と前記第２の減算器の出力を加算し、
低域通過フィルタによって、前記加算器の出力から前記希望局の音声信号を抽出して出力することを特徴とする混信除去回路を用いた混信除去方法。
【発明の詳細な説明】
【技術分野】
【０００１】
本発明はラジオ受信機、該受信機に内蔵された混信除去回路、及び該混信除去回路を用いた混信除去方法に関し、特に、同期検波を行うＡＭラジオ放送等の電波を受信するラジオ受信機であって、希望局の同期検波回路、希望局の上側隣接局の同期検波回路、及び下側隣接局の同期検波回路を用いて同期検波をそれぞれ行い、希望局に対して上側帯波または下側帯波が混信している場合でも混信成分を除去するようにして、隣接局の妨害を回避できるラジオ受信機、該受信機に内蔵された混信除去回路、及び該混信除去回路を用いた混信除去方法に関する。
【背景技術】
【０００２】
従来、振幅変調（以後ＡＭという）によるラジオ放送を受信するラジオ受信機であるＡＭチューナでは、放送局からの信号とチューナに内蔵した局部発振回路で生成した信号とを合成して中間周波数を作り、この中間周波数（以後ＩＦという）を増幅、復調するスーパーヘテロダイン方式が使用されている。そして、このようなスーパーヘテロダイン方式のＡＭチューナでは、同期検波を用いることによりラジオ放送の復調（検波）性能を高めている。
【０００３】
ところで、ＡＭ放送では、希望受信局の周波数帯の近くに隣接局があると、この隣接局の放送が受信されてノイズになることが多いという問題点がある。このような隣接局によるノイズは希望受信局の信号から除去すべきであり、方絡線検波を行っている特許文献１に開示の技術では、隣接局が含まれているＡＭ信号のＩＦ信号に対して、混信していない方の信号を取り出して検波を行っている。
【０００４】
また、隣接局が含まれているＡＭ信号のＩＦ信号に対して、上側帯波（以後ＵＳＢという）部分と下側帯波（以後ＬＳＢという）部分を復調してＵＳＢ信号とＬＳＢ信号とを発生させ、次いでＵＳＢ信号とＬＳＢ信号のノイズ電力を測定してＵＳＢ信号とＬＳＢ信号に重み付けを行い、ＵＳＢ信号とＬＳＢ信号の合成割合を重み付けに基づいて変更してノイズを除去する技術が特許文献２に開示されている。
【０００５】
更に、ＦＭ放送において混信妨害のキャンセルをする特許文献３に開示の技術では、混信した信号を受信したときに、希望波成分と妨害波成分を含んだ合成信号を生成し、合成信号から妨害波成分を除去して希望波信号を検出する信号検出方法を実行している。
【０００６】
【特許文献１】特開平６−１４１０１９号公報（図５）
【０００７】
【特許文献２】特開２００６−５１８９６６号公報（図４）
【０００８】
【特許文献３】特開２００４−２９７６５４号公報（請求項３）
【発明の開示】
【発明が解決しようとする課題】
【０００９】
ところが、特許文献１、２に開示の技術では、ＡＭ信号の上側または下側のどちらか一方が混信している場合は、混信成分と非混信成分とを検波することができるが、上側及び下側のどちらも混信している場合は、混信成分と非混信成分とを検波することができなかった。また、特許文献３に開示のＦＭ受信の技術では、希望波と妨害波の信号を適合フィルタに入力し、希望波のみを取り出していることから、フィードバックおよびフィルタが安定する時間がかかり、高速検波ができないという問題点があった。また、周波数発振器を用いているため、受信信号のズレに対応できず、ＦＭのみの妨害による歪対策のみである。
【００１０】
そこで本発明は、希望局の両側の隣接局による混信が発生している場合であっても、高速且つ隣接局による妨害を除去することができ、希望局のみを検波することができるラジオ受信機、該受信機に内蔵された混信除去回路、及び該混信除去回路を用いた混信除去方法を提供することを目的としている。
【課題を解決するための手段】
【００１１】
前記目的を達成する本発明のラジオ受信機は、アンテナで受信したラジオ電波を中間周波数に変換して出力する同調回路と、同調回路からの中間周波数の信号をデジタル変換後に復調処理して復調信号を出力する復調回路とを備えるラジオ受信機において、復調回路に、中間周波数に対して希望局を同期検波し、所定周波数の搬送波、上側帯波及び下側帯波を生成する第１の同期検波回路、中間周波数に対して希望局の上側の隣接局を同期検波し、希望局と同じ周波数の搬送波及び上側の隣接局の上側帯波を生成する第２の同期検波回路、中間周波数に対して希望局の下側の隣接局を同期検波し、希望局と同じ周波数の搬送波及び下側の隣接局の下側帯波を生成する第３の同期検波回路、第１の同期検波回路から出力される上側帯波に対して、第２の同期検波回路から出力される上側帯波を減算する第１の減算器、及び第１の同期検波回路から出力される下側帯波に対して、第３の同期検波回路から出力される下側帯波を減算する第２の減算器を設け、第１の減算器により前記希望局の上側帯波を生成し、第２の減算器により希望局の下側帯波を生成するようにしたことを特徴とする
【００１２】
前記目的を達成する本発明の混信除去回路は、ラジオ受信機において、アンテナで受信したラジオ電波を中間周波数に変換して出力する同調回路からの中間周波数の信号を、復調処理して復調信号を出力する復調回路に設けられた混信除去回路であって、中間周波数に対して希望局を同期検波し、所定周波数の搬送波、上側帯波及び下側帯波を生成する第１の同期検波回路、中間周波数に対して希望局の上側の隣接局を同期検波し、希望局と同じ周波数の搬送波及び上側帯波を生成する第２の同期検波回路、中間周波数に対して希望局の下側の隣接局を同期検波し、希望局と同じ周波数の搬送波及び下側の隣接局の下側帯波を生成する第３の同期検波回路、第１の同期検波回路から出力される上側帯波に対して、第２の同期検波回路から出力される上側帯波を減算して希望局の上側帯波を生成する第１の減算器、第１の同期検波回路から出力される下側帯波に対して、第３の同期検波回路から出力される下側帯波を減算して希望局の下側帯波を生成する第２の減算器、第１の減算器の出力と第２の減算器の出力を加算する加算器、及び加算器の出力に接続され、希望局の音声信号を出力する低域通過フィルタを備えることを特徴としている。
【００１３】
前記目的を達成する本発明の混信除去回路を用いた混信除去方法は、中間周波数をＡＤ変換器によってデジタル信号に変換し、第１の同期検波回路によって、デジタル信号に対して希望局を同期検波し、所定周波数の搬送波、上側帯波及び下側帯波を生成し、電圧制御発振器の出力を第２と第３の同期検波回路にそれぞれ入力し、第２の同期検波回路によって、デジタル信号に対して希望局の上側の隣接局を同期検波し、希望局と同じ周波数の搬送波及び上側帯波を生成し、第３の同期検波回路によって、デジタル信号に対して希望局の下側の隣接局を同期検波し、希望局と同じ周波数の搬送波及び下側帯波を生成し、第１の減算器によって、第１の同期検波回路から出力される上側帯波に対して、第２の同期検波回路から出力される上側帯波を減算して希望局の上側帯波を生成し、第２の減算器によって、第１の同期検波回路から出力される下側帯波に対して、第３の同期検波回路から出力される下側帯波を減算して希望局の下側帯波を生成し、加算器によって、第１の減算器の出力と前記第２の減算器の出力を加算し、低域通過フィルタによって、加算器の出力から希望局の音声信号を抽出して出力することを特徴としている。
【発明の効果】
【００１４】
本発明のラジオ受信機、該受信機に内蔵された混信除去回路、及び該混信除去回路を用いた混信除去方法によれば、希望局の同期検波回路に加えて、希望局の上側隣接局の同期検波回路と下側隣接局の同期検波回路を用意し、３つの同期検波回路において、希望局、上側混信局、及び下側混信局の検波をそれぞれ行い、希望局の上側帯波と下側帯波に対する隣接局による混信成分を、上側混信局と下側混信局の検波結果を用いて除去することにより、隣接局の妨害が回避できる。
【発明を実施するための最良の形態】
【００１５】
以下、添付図面を用いて本発明の実施の形態を、具体的な実施例に基づいて詳細に説明する。
【００１６】
図１（ａ）は、本発明を適用する復調回路を備えたラジオ受信機１の全体構成を示すブロック回路図である。ラジオ受信機１は、アンテナ２とアンテナ２で受信した電波からＩＦ信号を作る同調回路３（以後フロントエンド３という）、及び復調回路を含むチューナＤＳＰ（デジタル信号プロセッサ）１０を備えている。フロントエンド３は、公知の構成を備えており、アンテナ２で受信した電波から得られる信号と、水晶振動子とＰＬＬ回路とから構成される局部発振器で生成された信号とを、混合器で混合してＩＦ信号（日本では４５５ｋＨｚ）を作り、増幅してチューナＤＳＰ１０に出力する。
【００１７】
チューナＤＳＰ１０は、フロントエンド３からＩＦ信号を受け取ると、これをＡＤ変喚器４によりデジタル信号化し、同期検波回路５で同期検波し、ＵＳＢ信号とＬＳＢ信号を出力する。同期検波回路５は公知であり、ＡＤ変換器によってＩＦの信号をデジタル信号に変換し、デジタル変換されたＩＦからＰＬＬ回路によって同相成分の信号と直交成分の信号を生成し、処理回路によって同相成分の信号と直交成分信号から上側波帯と下側波帯の信号を作るものである。同期検波回路５から出力された信号は２分岐される。
【００１８】
２分岐された信号の一方はパルスノイズ検出部６に入力され、他方はノイズキャンセル処理部７に入力される。パルスノイズ検出部６はパルスノイズを検出してこれをノイズキャンセル処理部７に送る。ノイズキャンセル処理部７はパルスノイズ検出部６からのパルスノイズの検出信号に基づいてノイズをキャンセルし、ノイズがキャンセルされた信号は弱電界処理部８を経てＤＡ変換器９に送られ、アナログ信号に変換されてチューナＤＳＰ１０から出力される。
【００１９】
ここで、チューナＤＳＰ１０内の同期検出回路５の内部構成の実施例、及びその動作を図１（ｂ）により説明する。同期検出回路５に入力された受信信号は３分岐され、１つはＰＬＬ回路３０に入力され、他の２つは混合器１１，１２に入力される。２つの混合器１１，１２にはＰＬＬ回路３０の出力もそれぞれ入力される。混合器１１の出力は、ローパスフィルタ（以後ＬＰＦと記す）１３、ハイパスフィルタ（以後ＨＰＦと記す）１５及び遅延器１７を経て２分岐され、加算器１９と減算器２０とに入力される。一方、混合器１２の出力は、ＬＰＦ１４、ＨＰＦ１６、９０°移相器１８を経て２分岐され、加算器１９と減算器２０とに入力される。そして、加算器１９からはＵＳＢ信号が、減算器２０からはＬＳＢ信号が出力される。
【００２０】
以上のように構成されたラジオ受信回路１において、例えば、図２（ａ）に示すＡＭ信号の周波数分布のように、希望局の搬送波に対して上側にＵＳＢ、下側にＬＳＢが存在する時に、希望局の下側のみに妨害局（混信局）が存在する混信状態を考える。この状態では、希望局のＬＳＢに妨害局のＵＳＢが重なっている。この時は、加算器１９からは図２（ｂ）に示すような混信のないＵＳＢ信号が出力されているが、減算器２０からは図２（ｃ）に示すような混信のあるＬＳＢ信号が出力されている。このときは、パルスノイズ検出部６及びノイズキャンセル処理部７によって混信しているＬＳＢ信号が取り除かれ、混信の影響を受けていないＵＳＢ信号が音声として出力される。
【００２１】
次に、例えば、図３（ａ）に示すＡＭ信号の周波数分布のように、希望局の搬送波に対して上側にＵＳＢ、下側にＬＳＢが存在する時に、希望局の上側と下側の両方に妨害局（混信局）が存在する混信状態を考える。この状態では、希望局のＵＳＢに妨害局のＬＳＢが重なっており、ＬＳＢに妨害局のＵＳＢが重なっている。この時は、加算器１９からは図３（ｂ）に示すような混信のあるＵＳＢ信号が出力され、減算器２０からは図３（ｃ）に示すような混信のあるＬＳＢ信号が出力されている。このときは、希望局のＵＳＢとＬＳＢの両方が混信しているので、混信の影響を受けていない音声出力を得ることができない。
【００２２】
図４（ａ）は本発明の同期検波器５０の一実施例の構成を示すものである。この実施例の同期検波器５０には、入力される受信信号（図１（ａ）に示したＡＤ変換器４からのＩＦ信号）に対して、第１の同期検波回路である同期検波回路５、第２の同期検波回路である同期検波回路２５、第３の同期検波回路である同期検波回路３５が設けられており、受信信号は３分岐されてそれぞれに入力される。同期検波回路５は図１（ｂ）に示したように、受信信号から希望局を同期検波するものであり、その出力からは搬送波信号、ＵＳＢ信号及びＬＳＢ信号が出力される。同期検波回路５から出力される搬送波信号の周波数は所定周波数、例えば、この実施例では希望局と隣接妨害局の周波数差の９ｋＨｚである。
【００２３】
同期検波回路２５は受信信号から希望局の上側の隣接局を同期検波するものであり、その出力からは希望局用の同期検波回路５から出力される搬送波信号と同じ周波数の搬送波信号及びＵＳＢ信号が出力される。同期検波回路３５は受信信号から希望局の下側の隣接局を同期検波するものであり、その出力からは希望局用の同期検波回路５から出力される搬送波信号と同じ周波数の搬送波信号及びＬＳＢ信号が出力される。
【００２４】
同期検波回路２５、３５から出力される搬送波信号の周波数を、同期検波回路５から出力される搬送波信号の周波数と同じにするために、同期検波回路２５、３５には電圧制御発振器（ＶＣＯ）４０からの発振周波数が入力されている。同期検波回路５から出力される搬送波信号の周波数が、前述のように９ｋＨｚである場合は、電圧制御発振器４０の発振周波数を９ｋＨｚとすれば良い。
【００２５】
同期検波器５０には第１の減算器４１と第２の減算器４２とが設けられている。第１の減算器４１は同期検波回路５から入力されるＵＳＢ信号から、同期検波回路２５から入力されるＵＳＢ信号を減算し、これを加算器４３に出力する。また、第２の減算器４２は同期検波回路５から入力されるＬＳＢ信号から、同期検波回路３５から入力されるＬＳＢ信号を減算し、これを加算器４３に出力する。加算器４３は加算結果をＬＰＦ４４に出力し、ＬＰＦ４４の出力が音声信号として出力される。
【００２６】
図４（ｂ）は図４（ａ）に示す上側妨害局用の同期検波回路２５の一実施例の構成を示すものである。同期検波回路２５の構成は図１（ｂ）に示した同期検波回路５の構成とほぼ同じである。よって、同じ構成部材には同じ符号を付してある。同期検波回路２５が同期検波回路５と相違する点は、ＰＬＬ回路３０Ｕの発振周波数がＰＬＬ回路３０の周波数よりも９ｋＨｚ高い点と、遅延器１７と９０°移送器１８の出力からＬＳＢ信号を生成する加算器２０がない点、加算器１９の後段にＶＣＯ４０からの９ｋＨｚの信号が入力される混合器２１が設けられている点、及び混合器２１の後段にＬＰＦ２３が設けられている点である。
【００２７】
同期検波回路２５の混合器２１には、加算器１９からの上側妨害局のＵＳＢ信号と、ＶＣＯ４０からの９ｋＨｚの信号が入力されるので、混合器２１の出力は、９ｋＨｚの搬送波ＣＷと、この搬送波ＣＷに対する上側妨害局のＵＳＢ信号となる。
【００２８】
図４（ｃ）は図４（ａ）に示す下側妨害局用の同期検波回路３５の一実施例の構成を示すものである。同期検波回路３５の構成も図１（ｂ）に示した同期検波回路５の構成とほぼ同じである。よって、同じ構成部材には同じ符号を付してある。同期検波回路３５が同期検波回路５と相違する点は、ＰＬＬ回路３０Ｌの発振周波数がＰＬＬ回路３０の周波数よりも９ｋＨｚ低い点と、遅延器１７と９０°移送器１８の出力からＵＳＢ信号を生成する加算器１９がない点、減算器２０の後段にＶＣＯ４０からの９ｋＨｚの信号が入力される混合器２２が設けられている点、及び混合器２２の後段にＬＰＦ２６が設けられている点である。
【００２９】
同期検波回路３５の混合器２２には、減算器２０からの下側妨害局のＵＬＢ信号と、ＶＣＯ４０からの９ｋＨｚの信号が入力されるので、混合器２２の出力は、９ｋＨｚの搬送波ＣＷと、この搬送波ＣＷに対する下側妨害局のＬＳＢ信号となる。
【００３０】
ここで、図５（ａ）に示すようなＡＭ信号の周波数分布を示す受信信号が、図１（ｂ）に示す同期検波回路５、図４（ｂ）に示す同期検波回路２５、及び図４（ｃ）に示す同期検波回路３５に入力された場合を考える。この場合、同期検波回路５からは、図５（ｂ）に示すような９ｋＨｚの搬送波ＣＷと、この搬送波ＣＷに対する希望局のＵＳＢ信号と、図５（ｄ）に示すような９ｋＨｚの搬送波ＣＷと、この搬送波ＣＷに対する希望局のＬＳＢ信号が出力される。
【００３１】
また、同期検波回路２５からは、図５（ｃ）に示すような９ｋＨｚの搬送波ＣＷと、この搬送波ＣＷに対する希望局の上側の妨害局のＵＳＢ信号が出力され、同期検波回路３５からは、図５（ｅ）に示すような９ｋＨｚの搬送波ＣＷと、この搬送波ＣＷに対する希望局の下側の妨害局のＬＳＢ信号が出力される。
【００３２】
図６は、図４（ａ）に示した本発明の一実施例の同期検波回路５０に、希望局に対する上側周波数と下側周波数の両方に妨害局がある図５（ａ）に示す受信信号が入力された場合の、同期検波回路５０の動作を示すものである。
【００３３】
希望局用の同期検波回路５から出力された図５（ｂ）に示すＵＳＢ信号は減算器４１に入力され、上側妨害局用の同期検波回路２５から出力された図５（ｃ）に示すＵＳＢ信号も減算器４１に入力される。そして、減算器４１では、同期検波回路５から出力されたＵＳＢ信号から、同期検波回路２５から出力されたＵＳＢ信号が減算される。この結果、減算器４１から出力される信号は、同期検波回路５から出力されたＵＳＢ信号から搬送周波数ＣＷ成分と上側妨害局による混信成分が除去された音声信号のみとなる。
【００３４】
一方、希望局用の同期検波回路５から出力された図５（ｄ）に示すＬＳＢ信号は減算器４２に入力され、下側妨害局用の同期検波回路３５から出力された図５（ｅ）に示すＬＳＢ信号も減算器４２に入力される。そして、減算器４２では、同期検波回路５から出力されたＬＳＢ信号から、同期検波回路３５から出力されたＬＳＢ信号が減算される。この結果、減算器４２から出力される信号は、同期検波回路５から出力されたＬＳＢ信号から搬送周波数ＣＷ成分と下側妨害局による混信成分が除去された音声信号のみとなる。
【００３５】
減算器４１から出力された音声信号は加算器４３に入力され、減算器４２から出力された音声信号も加算器４３に出力される。この結果、加算器４３から出力される音声信号は振幅が倍になった検波信号となる。この検波信号にはノイズ成分が載っているので、ＬＰＦ４４でノイズ成分が除去されて同期検波器５０から出力される。
【００３６】
本発明では、希望局の同期検波回路５，上側妨害局用の同期検波回路２５、及び下側妨害局用の同期検波回路３５は同時に動作するので、希望局の同期検波回路の出力からノイズを除去する処理を実施する場合に比べて検波の処理速度が高速である。
【００３７】
このように、本発明のラジオ受信機では、希望局の両側の隣接局による混信が発生している場合であっても、高速且つ隣接局による妨害を除去することができ、希望局のみの音声を検波することができる。
【００３８】
なお、本発明の実施例ではＡＭラジオ受信機を説明したが、本願発明はＦＭラジオ受信機にも適用できる。
【図面の簡単な説明】
【００３９】
【図１】（ａ）は本発明を適用する復調回路を備えたラジオ受信機の全体構成を示すブロック回路図、（ｂ）は（ａ）の復調回路に設けられた同期検波回路の構成を示すブロック図である。
【図２】（ａ）は図１のフロントエンドの出力に、希望局に対する下側周波数に妨害局がある場合の受信信号を示す波形図、（ｂ）は（ａ）の受信信号に対する図１（ｂ）に示す同期検波回路のＵＳＢ信号出力を示す波形図、（ｃ）は（ａ）の受信信号に対する図１（ｂ）に示す同期検波回路のＬＳＢ信号出力を示す波形図である。
【図３】（ａ）は図１のフロントエンドの出力に、希望局に対する上側周波数と下側周波数の両方に妨害局がある場合の受信信号を示す波形図、（ｂ）は（ａ）の受信信号に対する図１（ｂ）に示す同期検波回路のＵＳＢ信号出力を示す波形図、（ｃ）は（ａ）の受信信号に対する図１（ｂ）に示す同期検波回路のＬＳＢ信号出力を示す波形図である。
【図４】（ａ）は本発明の同期検波器の一実施例の構成を示すブロック回路図、（ｂ）は（ａ）に示す上側妨害局用の同期検波回路の一実施例の構成を示すブロック回路図、（ｃ）は（ａ）に示す下側妨害局用の同期検波回路の一実施例の構成を示すブロック回路図である。
【図５】（ａ）は本発明の同期検波回路に入力される希望局、上側妨害局、及び下側妨害局のＡＭ信号の周波数分布を示す波形図、（ｂ）は図１（ｂ）の同期検波回路から出力されるＵＳＢ信号を示す波形図、（ｃ）は図４（ｂ）の同期検波回路から出力されるＵＳＢ信号を示す波形図、（ｃ）は図１（ｂ）の同期検波回路から出力されるＬＳＢ信号を示す波形図、（ｄ）は図４（ｃ）の同期検波回路から出力されるＬＳＢ信号を示す波形図である。
【図６】図４（ａ）に示した本発明の一実施例の同期検波回路に、希望局に対する上側周波数と下側周波数の両方に妨害局がある受信信号が入力された場合の、同期検波回路の動作を示す説明図である。
【符号の説明】
【００４０】
１    ラジオ受信機
５    同期検波回路
１０    チューナＤＳＰ
２５    上側同期検波回路
３５    下側同期検波回路
５０    本発明の同期検波器
【図１】
2010178227.tif 000003
【図２】
2010178227.tif 000004
【図３】
2010178227.tif 000005
【図４】
2010178227.tif 000006
【図５】
2010178227.tif 000007
【図６】
2010178227.tif 000008